(57)【要約】【課題】  例えば、操作環の回転操作に有利なレンズ鏡筒を提供することを目的とする。【解決手段】  レンズ鏡筒は、第１カム穴が形成されたベース筒と、第２カム穴が形成され、前記ベース筒に対して回転可能な操作環と、光学素子を保持し、前記第１カム穴及び前記第２カム穴に嵌合するカムフォロワを有し、前記操作環の回転により光軸方向に移動する移動筒と、前記操作環に対するカバーと、を有し、前記カバーは、前記第２カム穴に対向する第１領域のうち少なくとも一部の領域において、前記移動筒の径の方向かつ内向きの力に対して、前記第１領域とは異なる第２領域における剛性よりも高い剛性を有することを特徴とする。【選択図】  図１
2020046543.tif 000002
【特許請求の範囲】
【請求項１】
第１カム穴が形成されたベース筒と、
第２カム穴が形成され、前記ベース筒に対して回転可能な操作環と、
光学素子を保持し、前記第１カム穴及び前記第２カム穴に嵌合するカムフォロワを有し、前記操作環の回転により光軸方向に移動する移動筒と、
前記操作環に対するカバーと、
を有し、
前記カバーは、前記第２カム穴に対向する第１領域のうち少なくとも一部の領域において、前記移動筒の径の方向かつ内向きの力に対して、前記第１領域とは異なる第２領域における剛性よりも高い剛性を有する、
ことを特徴とするレンズ鏡筒。
【請求項２】
前記カバーは、第１材と、第２材とを含み、
前記第１材の剛性は、前記第２材の剛性より高く、
前記少なくとも一部の領域は、前記第１材を含む、
ことを特徴とする請求項１に記載のレンズ鏡筒。
【請求項３】
前記第１材は、前記カバーの内側に構成されていることを特徴とする請求項２に記載のレンズ鏡筒。
【請求項４】
前記少なくとも一部の領域は、互いに離間した複数の領域からなることを特徴とする請求項１ないし３のうちいずれか１項に記載のレンズ鏡筒。
【請求項５】
前記第１材は、前記第２カム穴の全体に対向していることを特徴とする請求項２又は３に記載のレンズ鏡筒。
【請求項６】
前記第１材は、前記第２カム穴の全縁に対向していることを特徴とする請求項２又は３に記載のレンズ鏡筒。
【請求項７】
前記少なくとも一部の領域は、前記第１材と前記第２材とを含み、前記第２材の内側に前記第１材が配されていることを特徴とする請求項２、３、５、６のうちいずれか１項に記載のレンズ鏡筒。
【請求項８】
前記第１材は、前記第２材に形成れた凹部に配されていることを特徴とする請求項７に記載のレンズ鏡筒。
【請求項９】
前記操作環は、その外面に、前記第２カム穴に関して対向して一対の凹部が形成され、前記カバーは、前記一対の凹部に嵌合する一対の凸部を有することを特徴とする請求項１に記載のレンズ鏡筒。
【請求項１０】
前記操作環は、その外面に、前記第２カム穴の形成された凹部が形成され、前記カバーは、前記凹部に嵌合する凸部を有することを特徴とする請求項１に記載のレンズ鏡筒。
【請求項１１】
第１カム穴が形成されたベース筒と、
第２カム穴が形成され、前記ベース筒に対して回転可能な操作環と、
光学素子を保持し、前記第１カム穴及び前記第２カム穴に嵌合するカムフォロワを有し、前記操作環の回転により光軸方向に移動する移動筒と、
前記操作環に対するカバーと、
を有し、
前記カバーは、前記第２カム穴に対向する領域のうち少なくとも一部の領域に凹部が形成されている、
ことを特徴とするレンズ鏡筒。
【請求項１２】
請求項１乃至１１のうちいずれか１項に記載のレンズ鏡筒を含むレンズ装置。
【請求項１３】
請求項１２に記載のレンズ装置と、
前記レンズ装置の像面に配置された撮像素子と、
を有することを特徴とする撮像装置。
【発明の詳細な説明】
【技術分野】
【０００１】
本発明は、レンズ鏡筒に関するものである。
【背景技術】
【０００２】
フォーカスやズーム等のマニュアル操作をするのに、レンズ鏡筒に設けた操作環を回転して、操作環に設けたカム溝と、固定筒に設けた直進溝と、移動群に設けた連結ピンとを介し、レンズ群を光軸方向に移動するレンズ鏡筒が知られている。操作環の外側には、操作環カバーが嵌め込まれ、ユーザの回転操作の滑り止めと、カム溝や連結ピンのカバーとを可能としている。
【０００３】
特許文献１の図１に、上述した操作環カバーと、フォーカス操作環と、カム溝が形成されたフォーカス移動環と、ヘリコイドネジが形成されたフォーカス移動群と、フォーカス移動群に設けられてカム溝に係合する連結ピンとの位置関係が開示されている。
【０００４】
特許文献１での操作環カバーは、フォーカス操作環の外周面に嵌め込まれて、連結ピンを覆っている。特許文献１の図６において、符号３に対応するのが操作環カバーである。
【先行技術文献】
【特許文献】
【０００５】
【特許文献１】特開平１１−３８３０７号公報
【発明の概要】
【発明が解決しようとする課題】
【０００６】
特許文献１に開示された構成では、ユーザが操作環カバーを掴み、操作環カバーに径方向の付勢力が加わると、操作環カバーが変形する。その結果、操作環カバーが連結ピンと干渉して、操作リングの回転操作に支障をきたしうる。
【０００７】
本発明は、例えば、操作環の回転操作に有利なレンズ鏡筒を提供することを目的とする。
【課題を解決するための手段】
【０００８】
上記目的を達成するために、本発明のレンズ鏡筒は、第１カム穴が形成されたベース筒と、第２カム穴が形成され、前記ベース筒に対して回転可能な操作環と、光学素子を保持し、前記第１カム穴及び前記第２カム穴に嵌合するカムフォロワを有し、前記操作環の回転により光軸方向に移動する移動筒と、前記操作環に対するカバーと、を有し、前記カバーは、前記第２カム穴に対向する第１領域のうち少なくとも一部の領域において、前記移動筒の径の方向かつ内向きの力に対して、前記第１領域とは異なる第２領域における剛性よりも高い剛性を有する、ことを特徴とする。
【発明の効果】
【０００９】
本発明によれば、例えば、操作環の回転操作に有利なレンズ鏡筒を提供することができる。
【図面の簡単な説明】
【００１０】
【図１】本発明の実施例１におけるレンズ鏡筒の断面図。
【図２】本発明の実施例１におけるレンズ鏡筒の詳細図。
【図３】本発明の実施例１における操作環カバー９を示す図。
【図４】本発明の実施例１におけるレンズ鏡筒の断面図。
【図５】本発明の実施例１における操作環２０と操作環カバー２１を示す図。
【図６】本発明の実施例１における操作環カバー３０を示す図。
【図７】本発明の実施例１におけるレンズ鏡筒の断面図。
【図８】本発明の実施例１における操作環カバー４０を示す図。
【図９】本発明の実施例２におけるレンズ鏡筒の断面図。
【図１０】本発明の実施例２における操作環カバー５０を除いた斜視図。
【図１１】本発明の実施例２における操作環カバー５０を示す図。
【図１２】本発明の実施例３におけるレンズ鏡筒の断面図。
【図１３】本発明の実施例３における図１２のＡ―Ａ断面図。
【図１４】本発明の実施例３における図１３の詳細図Ｂ。
【図１５】本発明の実施例４におけるレンズ鏡筒の断面図。
【図１６】本発明の実施例４における図１５のＣ―Ｃ断面図。
【図１７】本発明の実施例４における図１６の詳細図Ｄ。
【図１８】本発明の実施例４の変形例。
【発明を実施するための形態】
【００１１】
以下に、本発明の好ましい実施の形態を、添付の図面に基づいて詳細に説明する。
【実施例１】
【００１２】
以下、図１から８を参照して、本発明の第１の実施例による、レンズ鏡筒１について説明する。図１は本実施例におけるレンズ鏡筒の全体図を示す。
【００１３】
レンズ鏡筒１には、複数のレンズ２（２ａ、２ｂ、２ｃ、２ｄ）が設けられている。図１に示すように、前固定群のレンズ２ａは固定筒３に固定され、フォーカスレンズの２ｂは移動鏡筒４に固定され、リレー群のレンズ２ｃとレンズ２ｄは固定筒（ベース筒）３に固定されている。複数のレンズ２は、押え環５を固定筒３や移動鏡筒に設けられた不図示のネジ部を締結することで固定される。
【００１４】
本実施例のレンズ鏡筒１は、いわゆるカム機構を利用してフォーカス群を有した移動鏡筒４を光軸方向に移動させて、ユーザが焦点を合わせる機構となっている。
【００１５】
移動鏡筒（移動筒）４は略円筒形状であり、内周側にレンズ（光学素子）２や押え環５を保持し、外周側に３個の連結ピン（カムフォロワ）６を不図示のネジで固定する。３個の連結ピン６は、光軸と直交する断面内で周方向に略等分割で設けられ、固定筒３に設けられた半径方向に貫通しているカム溝（第１カム穴）３ａと、光軸を中心として回転する操作環７に半径方向に貫通して設けられている直進溝（第２カム穴）７ａとに摺接する。連結ピン６は、カム溝３ａと、直進溝７ａとを光軸周りで略等分割した３ヶ所に配置することで、移動鏡筒４の姿勢を保持する。
【００１６】
操作環７が光軸を中心に回転すると、連結ピン６は、カム溝３ａに沿って光軸方向に移動するため、焦点位置を変化させることができる。
【００１７】
図２に実施例１のレンズ鏡筒の詳細図を示す。操作環７は、略円筒形状であり、内周側は固定筒３との摺動面３ｂと摺動して光軸を中心に回転可能となる。また操作環７は、固定筒３の規制面３ｄと、固定筒３にネジで固定された操作環押え８とによって、光軸方向の移動が規制されている。操作環７は、光軸と平行に直進溝７ａが光軸回りで略等分割で３ヶ所設けられており、直進溝７ａは光軸と直交する方向に操作環７を貫通している。直進溝７ａには、連結ピン６が嵌入されている。連結ピン６の上面６ａは、後述する操作環カバー９の高剛性材料９ｂと近接している。
【００１８】
操作環カバー９は略円筒形状をして、操作環７の外周側の凹部に嵌め込みされる。操作環カバー９を操作環７に嵌め込む時、光軸を回転中心とした位相を合わせるために、操作環７に設けられた目印７ｂと、操作環カバー９に設けられた目印９ａとの位置を合わせる。それら位置合わせをすることで、直進溝７ａと後述する操作環カバー９の高剛性材料９ｂとの位相が一致して、直進溝７ａを高剛性材料９ｂで覆うことができる。高剛性材料９ｂは直進溝７ａの全縁に対向している。
【００１９】
操作環カバー９は成型加工されたゴムである。操作環カバー９は、機能として高い伸縮性を必要とする。その理由として、操作環カバー９を操作環７に嵌め込みする際、操作環カバー９を突起部７ｃの外径よりも大きな径に伸ばす必要がある。次に、撮影者がフォーカス操作する際、操作環カバーと操作環７とを一体的に回転させるために、操作環カバー９は高い収縮力により操作環７と密着させた方が望ましいためである。
【００２０】
操作環カバー９の材質（第１材）は、天然ゴム、ＮＢＲ、ＥＰＤＭ、クロロプレンゴム、アクリルゴム、ウレタンゴム、フッ素系ゴム、ニトリルゴム、ＮＢＲ＋ＰＶＣブレンド、ＮＢＲ＋ＥＰＤＭブレンド等の伸縮性に優れた材料を選択すればよい。
【００２１】
操作環カバー９は、二色成型品である。本実施例での二色成型とは、異材質の組合せの場合と、同材質であるもののゴム硬度の異なる組合せの場合とを含む。
【００２２】
図３に示すように、本実施例での操作環カバー９の二色成型は、高剛性材料（第２材）９ｂと低剛性材料（第１材）９ｃとの、異なる剛性率のものを組合せることを特徴とする。
【００２３】
図２に示すように、操作環カバー９は、剛性率の高い高剛性材料を直進溝７ａ近傍に配置し、それ以外の箇所を剛性率の低い低剛性材料９ｃを配置する。操作環カバー９の高剛性材料９ｂは、３ヶ所の直進溝７ａを覆うように設けられる。尚、操作環カバー９は、部分的に高剛性材料９ｂがあるものの、大部分は低剛性材料９ｃであるため二色成型による伸縮性の影響はほぼ無い。
【００２４】
以上の実施例１の説明より、レンズ鏡筒１は、ユーザが操作環カバー９を掴み、径方向に対して付勢力を発生させても高剛性材料９ｂに直進溝７ａ近傍に設けられている。そのため、把持力による操作環カバー９の変形量は低減し、操作環カバー９の変形に起因する直進溝７ａ内での連結ピン６の移動の阻害を防止し、操作環の回転を円滑に操作することが可能となる。
【００２５】
尚、本実施例では、操作環７に直進溝７ａが設けられた場合について説明したが、図４と図５より、操作環２０にカム溝２０ａが設けられた場合について説明する。
【００２６】
操作環２０にカム溝２０ａが設けられた場合、操作環２０の円周方向に広がるようにカム溝２０ａが配置されるものの、操作環カバー２１の高剛性材料２１ａはカム溝２０ａ全体を覆うように配置すればよい。その時、操作環カバー２１の高剛性材料２１ａの比率が高くなってしまい、伸縮性が低下してしまう。その伸縮性を改善する構造として、例えば図６に示すように、操作環カバー３０の高剛性材料３０ａをそれぞれ離間して配置して、離間した間に低剛性材料３０ｂを設けることで、伸縮性を高めてもよい。
【００２７】
尚、本実施例では、操作環カバー９の内周面に高剛性材料９ｂが設けられた場合について説明したが、操作環カバー４０の外周側に高剛性材料４０ａを設けてもよい。例えば、図７と図８に示すように、操作環カバー４０の外周側には複数のローレット模様の凹部４０ｂが設けられており、その凹部４０ｂの底面全体に高剛性材料４０ａを設けてもよい。
【００２８】
本発明のレンズ鏡筒は、操作環カバーが、操作環７の直進溝（第２カム孔）７ａと重なる（に対向する）第１領域の少なくとも一部の領域において、操作環カバーの外周面から径の方向かつ内向きの力に対して、第１領域とは異なる第２領域における剛性よりも高い剛性を有するように構成されている。この構成により、操作環の溝と重なる領域上の操作環カバーの変形を抑制し、操作環の回転を円滑に操作することを可能にしたレンズ鏡筒を提供することができる。
【実施例２】
【００２９】
以下、図９〜図１１を参照して、本発明の第２の実施例による、レンズ鏡筒１について説明する。上述した実施例１と同じ部分は省略する。
【００３０】
図９より、操作環カバー５０は略円筒形状をして、操作環７に嵌め込みされる。操作環カバー５０は、単一材料のゴム系材料で、成型されたゴムである。光軸周りで略等分割した３ヶ所に配置された直進溝７ａと操作環カバー５０との間に、操作環カバー５０よりも高い剛性を有する弾性材料である金属又は樹脂を材料（第２材）とする板状部材５１が設けられている。図１０より、板状部材５１は不図示のテープ部材又は接着剤（粘着部材）によって操作環７に固定されている。尚、板状部材５１は、直進溝７ａの溝部を覆うように設けられ、板厚は２ｍｍ以下である。
【００３１】
板状部材５１の板厚がある一定以上の厚みになってしまうと、板状部材５１を覆う操作環カバー５０に膨らみが生じてしまい、外観が悪くなってしまうケースがある。その対策として、図１１より、操作環カバー５０の内周面基準での凹部５０ａを設け、その凹部に板状部材を嵌めこむことで、操作環カバー５０の膨らみを軽減してもよい。
【００３２】
このようにレンズ鏡筒１は、ユーザが操作環カバー９を掴み、径方向に対して付勢力を発生させても、高剛性の板状部材５１が直進溝７ａ近傍に設けられていることで、操作環カバー９の変形量は低減し、操作環の回転を円滑に操作することが可能となる。
【実施例３】
【００３３】
以下、図１２〜図１４を参照して、本発明の第３の実施例による、レンズ鏡筒１について説明する。上述した実施例１と同じ部分は省略する。
【００３４】
図１２より、操作環カバー６０は略円筒形状をして、操作環７に嵌め込みされる。操作環カバー６０を操作環７に嵌め込む時、光軸を回転中心とした位相を合わせるために、操作環７に設けられた目印７ｂと、操作環カバー６０に設けられた目印６０ａとの位置を合わせる。それら位置合わせをすることで、直進溝７ａと後述する操作環カバー６０の凹部６０ｂとの位相が一致して、直進溝７ａを凹部６０ｂで覆うことができる。
【００３５】
操作環カバー６０は、単一材料のゴム系材料で、成型されたゴムである。図１３と図１４より、操作環カバー６０の内周面には、３ヶ所の凹部６０ｂが設けられる。凹部６０ｂは、光軸方向に延伸しており、３ヶ所の直進溝７ａを覆うように設けられる。
【００３６】
以上の実施例３の説明より、レンズ鏡筒１は、ユーザが操作環カバー６０を掴み、径方向に対して付勢力を発生させても、凹部６０ｂの径方向の深さ分の距離が連結ピン６から離れているより、操作環カバー６０と連結ピン６が干渉する可能性は低くなる。これにより、操作環の回転を円滑に操作することが可能となる。
【実施例４】
【００３７】
以下、図１５〜図１７を参照して、本発明の第３の実施例による、レンズ鏡筒１について説明する。上述した実施例１と同じ部分は省略する。
【００３８】
図１５より、操作環カバー７０は略円筒形状をして、操作環７１に嵌め込みされる。操作環カバー７０を操作環７１に嵌め込む時、光軸を回転中心とした位相を合わせるために、操作環７１に設けられた目印７１ｂと、操作環カバー７０に設けられた目印７０ａとの位置を合わせる。それら位置合わせをすることで、直進溝７１ａと後述する操作環カバー７０の凸部７０ｂとの位相が一致して、直進溝７１ａを凸部７０ｂで覆うことができる。
【００３９】
操作環カバー７０は、単一材料のゴム系材料で成型されたゴムである。図１６と図１７に示すように、操作環カバー７０の内周面には、内周面から光軸中心方向に突出した３ヶ所の凸部７０ｂが設けられる。凸部７０ｂは、光軸方向に延伸しており、３ヶ所の直進溝７１ａを覆うように設けられる。また操作環７１には、凸部７０ｂを嵌め込むための３ヶ所の凹部７１ｃが設けられる（操作環７１は、その外面に、直進溝（第２カム穴）７１ａの形成された凹部７１ｃが形成されている）。凹部（係合部）７１ｃは長穴形状であり、凹部の側面７１ｄに凸部７０ｂが嵌められる（係合又は嵌合する）。
【００４０】
上の実施例４の説明より、レンズ鏡筒１は、ユーザが操作環カバー７０を掴み、径方向に対して付勢力を発生させても、操作環カバー７０の変形量は小さくなり、操作環カバー７０と連結ピン６が干渉する可能性は低くなる。これにより、操作環７１の回転を円滑に操作することが可能となる。変形量が小さくなる要因は、凸部７０ｂの径方向の厚み分で剛性力が高まることと、また操作環７１の凹部の側面７１ｄで、操作環カバー７０が変形した時の規制面が設けられたためである。
【００４１】
尚、実施例４では、操作環カバー７０の凸部７０ｂは、直進溝上部に設けられたが、直進溝上部と異なる場所に設けてもよい。例えば図１８に示すように、操作環８０の外面に、操作環８０の直進溝８０ａと略平行に設けられて光軸方向に延伸している一対の溝（凹部）８０ｂを設ける。また操作環カバー８１は、溝８０ｂに嵌合可能な一対の凸部８１ｂが設けられる。すなわち、操作環８０の直進溝８０ａの周囲の少なくとも一部の対向する両側において、操作環８０に構成された２箇所の溝と係合する構成（２箇所の凸部８１ｂ）を有する。
【００４２】
ユーザが操作環カバー８１を掴み、径方向の中心に向けて押圧力を与えると、直進溝８０ａに対して光軸を中心とする周方向外側の、溝８０ｂの壁面８０ｃに、凸部８１ｂの規制面８１ｃが当接する。そのため、押圧されている位置近傍の操作環カバー８１の溝８０ｂから周方向に離れる方向への弾性変形が規制され、操作環カバー８１の変形量は小さくなり、操作環カバー８１と連結ピン６が干渉する可能性は低くなる。
【００４３】
本発明のレンズ鏡筒を有するレンズ装置を実現することにより、本発明の効果を享受することができるレンズ装置を提供することができる。また、本発明のレンズ鏡筒を有するレンズ装置と、前記レンズ装置の像面に配置された撮像素子を有する撮像装置を実現することにより、本発明の効果を享受することができるレンズ装置を提供することができる。
【００４４】
以上、本発明の好ましい実施形態について説明したが、本発明はこれらの実施形態に限定されず、その要旨の範囲内で種々の変形及び変更が可能である。
【符号の説明】
【００４５】
１：レンズ
３：固定筒
３ａ：カム溝（第２カム穴）
４：移動鏡筒（移動筒）
６：連結ピン（凸部）
７：操作環
７ａ：直進溝（第１カム穴）
９：操作環カバー（環状カバー）
【図１】
2020046543.tif 000003
【図２】
2020046543.tif 000004
【図３】
2020046543.tif 000005
【図４】
2020046543.tif 000006
【図５】
2020046543.tif 000007
【図６】
2020046543.tif 000008
【図７】
2020046543.tif 000009
【図８】
2020046543.tif 000010
【図９】
2020046543.tif 000011
【図１０】
2020046543.tif 000012
【図１１】
2020046543.tif 000013
【図１２】
2020046543.tif 000014
【図１３】
2020046543.tif 000015
【図１４】
2020046543.tif 000016
【図１５】
2020046543.tif 000017
【図１６】
2020046543.tif 000018
【図１７】
2020046543.tif 000019
【図１８】
2020046543.tif 000020